(57)【要約】      （修正有）【課題】犬の外出散歩時の糞の処理をしやすい便器を提供する。【解決手段】底面と外枠よりなる箱の左右に庇を１つは外枠上部に、もう１つは外枠下部に設ける。ついで、底面と外枠に、箱を折りたたんだとき、外枠同士が重なりあい箱が蓋つきの箱と変化するような折り目をつける。こういう便器をつくることで、糞を目に触れることはなく、庇もぴったり接し合うので、持ちやすく安定感がありビニール袋に入れやすい。庇は下部についてもいるので、これを踏めば強い風でも飛ばされにくい。【選択図】図１
0003120684.tif 000002
【実用新案登録請求の範囲】
【請求項１】
底面と外枠よりなる箱において、箱の左右に庇（１）（２）を１つは外枠上部に、他の１つは外枠下部に設け、箱の中間部（３）で折り曲げれば、下部に庇（２）のある側の外枠（６）が、上部に庇（１）がある側の外枠（７）の内側に入りこむように折り目を底面と外枠につけ、その結果、犬糞を収容したのち、箱を折りまげたとき、当初の蓋なしの箱が、蓋のついた箱へと変化し、また２つの庇（１）（２）は、密着し、その後の犬糞処理がすばやく、こぎれいにできる折りたたみ式犬糞便器。
【考案の詳細な説明】
【考案の詳細な説明】
【技術分野】
【０００１】  本考案は、犬の散歩時における糞便を処理しやすく、携帯にも便利な、折りたたみ式の犬糞便器に関するものである。
【背景技術】
【０００２】  犬の外出散歩時、糞便処理の便器に実用新案登録第３１１５９５４号があるが、犬糞を受け収容し、折りたたんだとき、外枠同士は、軽く接し合う程度であり、外枠同士が重なりあうことができなかった、無理に重なりあわせると便器は歪んでしまう。
通常の使用方法では、折りたたんだとき、隙間が生じ、犬糞が目に見える状態となる。また、小さい糞は、隙間からこぼれ落ちる欠点があった。
また、下部に庇を設けた便器は、ぶらさげるとき手指の位置や力加減を配慮しなければならない不便さもあった。
【考案の開示】
【考案が解決しようとする課題】
【０００３】  犬糞の処理を、脱糞からビニール袋へ投入まで、手を汚さず、快適に、すばやく行えるようにする。それには次のような課題がある。
▲１▼、脱糞の際きちんと受けとめ、糞が外へころがりおちない便器である。
▲２▼、便器を、折りたたんだときでも、歪みのない、整った便器である。
▲３▼、収容した犬糞は、目に触れることがない。
▲４▼、犬糞を収容した便器を、ビニール袋に投入するのに、便器をぶらさげやすく、安定感がある。
以上の諸点が解決すべき課題である。
【課題を解決するための手段】
【０００４】  犬糞を快適に処理するため次のような方法・構成をする。
本考案は、底面と外枠よりなる箱の左と右に、箱より外へ庇を、もうける。外枠と庇があると脱糞の際、手を汚すことがない。庇は脱糞の際、便器の位置を微調整するのにも役だつ。
庇のもうけ方であるが、１つの庇は、外枠の上部に、もうけ、もう一方の庇は、外枠の下部にもうける。
その一方で、底面と外枠には、折り目をもうける。その折り目は、便器を中間部で折りたたんだとき、必ず外枠同士が、かさなりあうような折り目をもうけたものとする。外枠が、かさなりあうことによって、便器を折りたたんでも糞が外へこぼれおちることはない糞が目に触れることもない。それは、外枠が、かさなりあうことにより、蓋つきの整った箱に変化するからである。この点は、従来の庇つきの折りたたみ式便器との最大の違いである。
糞を収容し、折りたたんだ便器は、庇と庇とが、ぴったり接し合っているので、庇のどこをもっても安定感があり、ビニール袋にいれやすい。
以上のような手段で、諸課題を解決した。
【考案の効果】
【０００５】  本考案は、実用新案登録第３１１５９５４号の折りたたみ式犬糞便器に備わった特長、▲１▼便器の位置を調整しやすい▲２▼手を汚すことがない▲３▼風が強くても使用できる▲４▼折りたたむのでビニール袋にいれやすいなどの諸点にとどまらず、不完全な点、弱点も克服できた考案である。
第１点は、便器に糞を収容して、折りたたんだとき、底面と外枠だけの箱が、蓋がかぶさった箱に変化するという点である。そのため箱は、密閉状態となり、糞が目に触れない、外へこぼれおちないことが実現した。
実用新案登録第３１１５９５４号の便器は、外枠同士は、接し合う程度で、蓋がかぶさった箱にはならない
第２点は、折り目を工夫したことにより、犬糞を収容し、折りたたんだとき外枠同士が、かさなりあう状態に、すばやく、必ず確実にできるという点である。
実用新案登録第３１１５９５４号は、そういうことができなかった。
第３点は、庇と庇とを接し合わせたとき、庇をもつ位置や力加減に注意しなくてもよい点である。
実用新案登録第３１１５９５４号の便器の庇には、慎重に注意を払う必要のものもあるが、本考案は、そのような注意は不必要となった。
以上が本考案の効果であるが、こういう効果は、庇の位置が、１ケは、外枠上部に、他の１ケは、外枠下部に設けることでないと実現できない。
本考案により快適糞便処理が可能となった。
【考案を実施するための最良の形態】
【０００６】  本考案は、底面と外枠よりなる箱の左と右の外枠に箱の外へむけて庇を設けるのであるが、１つの庇は、外枠の上部へ、もう１つの庇は、下部へ設ける。庇の形は、三角形とする。
箱の底面の中間部分には、外枠の高さと同じ巾の折り目を外折でつける。
その折り目の延長すなわち外枠にも斜めの折り目を外折りでつける。外枠には、三角形の折り目ができる。
ついで、三角形の折り目の底辺の角より垂直の折り目を内折りでつける。この折り目は、庇が下部についた方の側だけにつける。庇が上部についた側は、垂直の折り目はつけない。
このように折り目をつけると折りたたんだとき、下部に庇が設けられた側の外枠は、もう一方の外枠の内側に入りこみ、庇同士は、完全に密着し、外枠同士は重なりあい、全体の形は、四角の蓋つきの箱の状態となる。
このような状態で犬糞を、持参のビニール袋に、ほりこむのは、大変扱いやすい。なお、三角形の折り目部分は、箱を折り曲げると外へ張り出す。
従来最適折り目のつけ方が判明していなかったため、一方の庇を上部へ一方の庇は下部へという形態の便器がなかったが、折り目のつけ方を工夫することにより、従来の欠点が、一挙に全部解決できる便器となった。
【実施例１】
【０００７】  底面と外枠よりなる長方形の箱において、短辺の外枠の一方の上端に庇（１）を設ける。反対側の短辺の外枠には、下端に庇（２）を設ける。
庇（１）（２）は、いずれも三角形で、箱より外向きに設ける。
ついで短辺に平行で底面中間部に外枠の高さと同じ巾の折り目（３）を外折りでつける。その延長すなわち外枠に斜めの折り目（４）を外折りでつけ、外枠に三角形の折り目ができるように折る。
ついで、三角形の折り目の底辺の角より垂直の折り目（５）を内折りでつける。庇が下端についた方だけ、この折り目（５）をつける。
このような折り目（３）（４）（５）をつけると、犬糞を収容後、折りたたむと、下端に庇をつけた側の外枠（６）は、上端に庇をつけた側の外枠（７）の内側に入りこみ、庇（１）（２）同士は、完全に密着し、外枠同士は重なりあい、四角の蓋のついた箱に変化する。
【実施例２】
【０００８】  庇（１）（２）は、実施例１と同じ設け方をする。
折り目のつけ方であるが、短辺に平行の中央部に、外枠、底面に１本の折り目（８）を外折りでつける。ついで長辺、短辺の接合部の下端（９）より、中央部の折り目（８）の終点（１０）に折り目（１１）を外折りでつける。ついで、庇が下端についた方の外枠の長辺の端の部分の下から斜め上へ小さく折り目（１２）を内折りで、両方の長辺ともつける。
このようにすると、犬糞を収容した便器を折りたたむと、下端に庇（２）のついた方の外枠（６）は、上端に庇をつけた方の外枠（７）の内側に、入りこみ、庇（１）（２）同士は完全に密着し、少し不充分ではあるが、蓋のついた箱状となり、実施例１と同様の効果がえられる便器となる。
【図面の簡単な説明】
【０００９】
【図１】  本考案の実施例１の斜視図
【図２】  本考案の実施例１の使用状態の斜視図
【図３】  本考案の実施例２の斜視図
【図４】  本考案の実施例２の折りたたむときの外枠の動きを示す斜視図
【符号の説明】
【００１０】  １  外枠上端の庇
２  外枠下端の庇
３  外枠の高さと同じ巾の折り目
４  外枠の斜めの折り目
５  外枠の垂直の折り目
６  下端に庇をつけた側の外枠
７  上端に庇をつけた側の外枠
８  中央部の折り目
９  長辺、短辺の接合部の下端
１０  中央部の折り目の終点
１１  長辺、短辺の接合部の下端より中央部の折り目の終点への折り目
１２  長辺の端の部分の下から斜め上への小さな折り目
【図１】
0003120684.tif 000003
【図２】
0003120684.tif 000004
【図３】
0003120684.tif 000005
【図４】
0003120684.tif 000006